(57)【要約】【課題】施工性に優れる建物の内装下地の取付構造を提供する。【解決手段】建物Ｂの内装下地３の取付構造である。内装下地３は、建物Ｂの梁７の下でコーナー８を形成するように配された壁下地５と天井下地６とを含んでいる。梁７には、取付金物１１を介して、梁７に沿ってのびる内装下地固定桟１２が取り付けられている。内装下地固定桟１２の下部側に、壁下地５の上端部が固定されるとともに、内装下地固定桟１２の上部側に、天井下地６が固定される。【選択図】図１
2015158065.tif 000002
【特許請求の範囲】
【請求項１】
建物の内装下地の取付構造であって、
前記内装下地は、前記建物の梁の下でコーナーを形成するように配された壁下地と天井下地とを含んでおり、
前記梁には、取付金物を介して、梁に沿ってのびる内装下地固定桟が取り付けられ、
前記内装下地固定桟の下部側に、前記壁下地の上端部が固定されるとともに、
前記内装下地固定桟の上部側に、前記天井下地が固定されることを特徴とする建物の内装下地の取付構造。
【請求項２】
前記内装下地固定桟は、前記建物の屋内側を向く垂直な取付面を有し、
前記取付面の下部側に、前記壁下地の上端部が固定されるとともに、
前記取付面の上部側に、前記天井下地が固定される請求項１記載の建物の内装下地の取付構造。
【請求項３】
前記天井下地は、前記内装下地固定桟の前記取付面に前記梁に沿って配されかつ前記建物の屋内側に開口した断面略コ字状の野縁ランナーと、端部が前記野縁ランナーに挿入されて支持された野縁とを含んでいる請求項２記載の建物の内装下地の取付構造。
【請求項４】
前記壁下地は、矩形状の枠組を含み、
前記枠組は、上下の横材と、左右の縦材とを有し、
前記左右の縦材は、前記上の横材から上方に突出して前記内装下地固定桟に固定される突出部を具えている請求項１乃至３のいずれかに記載の建物の内装下地の取付構造。
【発明の詳細な説明】
【技術分野】
【０００１】
本発明は、施工性に優れた建物の内装下地の取付構造に関する。
【背景技術】
【０００２】
従来、建物の内装下地の取付構造として、図６に示されるようなものが知られている。この取付構造は、建物の梁ａの下でコーナーｂを形成するように配された壁下地ｃと天井下地ｄとを含んでいる。
【０００３】
この取付構造は、先ず、図７（ａ）に示されるように、壁下地ｃが、梁ａに取付金物ｅを介して固定された内装下地固定桟ｆに、釘等で固定されて施工される。しかる後、図７（ｂ）に示されるように、天井下地ｄが、壁下地ｃの上端側かつ屋内側の面ｇに取り付けられていた。
【先行技術文献】
【特許文献】
【０００４】
【特許文献１】特開２００７−４６２７３号公報
【発明の概要】
【発明が解決しようとする課題】
【０００５】
上述のような内装下地の取付構造は、必ず、天井下地ｄよりも先に壁下地ｃを施工する必要があった。このため、天井下地ｄと壁下地ｃとの施工業者等が異なる場合、施工の順番に伴い、施工業者の手待ち時間等が発生するという問題があった。
【０００６】
本発明は、以上のような問題点に鑑み、案出なされたもので、壁下地及び天井下地の施工順序の制約をなくすことで、施工性に優れた建物の内装下地の取付構造を提供することを主たる課題としている。
【課題を解決するための手段】
【０００７】
本発明は、建物の内装下地の取付構造であって、前記内装下地は、前記建物の梁の下でコーナーを形成するように配された壁下地と天井下地とを含んでおり、前記梁には、取付金物を介して、梁に沿ってのびる内装下地固定桟が取り付けられ、前記内装下地固定桟の下部側に、前記壁下地の上端部が固定されるとともに、前記内装下地固定桟の上部側に、前記天井下地が固定されることを特徴とする。
【０００８】
本発明に係る前記建物の内装下地の取付構造において、前記内装下地固定桟は、前記建物の屋内側を向く垂直な取付面を有し、前記取付面の下部側に、前記壁下地の上端部が固定されるとともに、前記取付面の上部側に、前記天井下地が固定されるのが望ましい。
【０００９】
本発明に係る前記建物の内装下地の取付構造において、前記天井下地は、前記内装下地固定桟の前記取付面に前記梁に沿って配されかつ前記建物の屋内側に開口した断面略コ字状の野縁ランナーと、端部が前記野縁ランナーに挿入されて支持された野縁とを含んでいるのが望ましい。
【００１０】
本発明に係る前記建物の内装下地の取付構造において、前記壁下地は、矩形状の枠組を含み、前記枠組は、上下の横材と、左右の縦材とを有し、前記左右の縦材は、前記上の横材から上方に突出して前記内装下地固定桟に固定される突出部を具えているのが望ましい。
【発明の効果】
【００１１】
本発明は、建物の内装下地の取付構造である。内装下地は、建物の梁の下でコーナーを形成するように配された壁下地と天井下地とを含んでいる。梁には、取付金物を介して、梁に沿ってのびる内装下地固定桟が取り付けられている。内装下地固定桟の下部側には、壁下地の上端部が固定されるとともに、内装下地固定桟の上部側には、天井下地が固定される。
【００１２】
このような建物の内装下地の取付構造では、壁下地及び天井下地の施工順序の制約をなくすことができるため、天井下地と壁下地との施工業者等が異なる場合でも、各施工業者の手待ち時間等が発生することもない。従って、本発明の建物の内装下地の取付構造は、施工性に優れる。
【図面の簡単な説明】
【００１３】
【図１】本実施形態の内装下地の取付構造の一例を示す断面図である。
【図２】取付金物を拡大して示す断面図である。
【図３】壁下地を拡大して示す断面図である。
【図４】天井下地を拡大して示す断面図である。
【図５】枠組の斜視図である。
【図６】従来の内装下地の取付構造の一例を示す断面図である。
【図７】（ａ）は、従来の壁下地の取り付ける工程を説明する断面図、（ｂ）は、従来の天井下地の取り付ける工程を説明する断面図である。
【発明を実施するための形態】
【００１４】
以下、本発明の実施の一形態が図面に基づき説明される。
図１は、本実施形態の内装下地の取付構造を示す断面図である。本実施形態の建物の内装下地の取付構造（以下、単に「取付構造」ということがある）は、一般的な住宅やビル等の建物Ｂに、外壁の外装材２の屋内側Ｓｉに配置される内装下地３を取り付けるためのものである。
【００１５】
内装下地３は、壁下地５と天井下地６とを含んでいる。これらの壁下地５及び天井下地６は、建物の梁７の下で、コーナー８を形成するように配されている。
【００１６】
梁７は、上下にのびるウエブ７ａと、ウエブ７ａの上端で鍔状にのびる上フランジ７ｂと、ウエブ７ａの下端で鍔状にのびる下フランジ７ｃとを含み、断面Ｈ字状に形成されている。梁７には、取付金物１１を介して、内装下地固定桟１２が取り付けられている。
【００１７】
図２は、取付金物１１を拡大して示す断面図である。図３は、壁下地５を拡大して示す断面図である。図４は、天井下地６を拡大して示す断面図である。取付金物１１は、梁７に沿って隔設されている。
【００１８】
各取付金物１１は、梁７の下フランジ７ｃから水平にのびる基部１１ａと、基部１１ａの屋外側Ｓｏの端部から下方にのびる垂下部１１ｂと、垂下部１１ｂの下端から屋内側Ｓｉに向かって水平にのびる折返し部１１ｃとを含んでいる。従って、取付金物１１は、断面略コ字状に形成される。また、取付金物１１と外装材２を固定する枠体９との間には、断熱材１３（図１に示す）が配置されている。
【００１９】
基部１１ａは、梁７の下フランジ７ｃから水平にのび、かつ、外装材２及び枠体９に至ることなく終端している。また、基部１１ａは、梁７の下フランジ７ｃに、例えば、ボルト１５を介して固着されている。
【００２０】
垂下部１１ｂは、基部１１ａの端部から下方にのび、かつ、壁下地５（図１に示す）に至ることなく終端している。折返し部１１ｃは、その水平方向の長さが、基部１１ａの水平方向の長さよりも小に設定されている。
【００２１】
内装下地固定桟１２は、断面において、上下方向の長さＬ１ａが水平方向の長さＬ１ｂよりも大きい縦長矩形状に形成されている。上下方向の長さＬ１ａは、取付金物１１の垂下部１１ｂの上下方向の長さＬ２ａよりも小に設定されている。一方、水平方向の長さＬ１ｂは、取付金物１１の折返し部１１ｃの水平方向の長さＬ２ｂと同一又はやや小に設定されている。これにより、内装下地固定桟１２は、建物Ｂの屋内側Ｓｉを向く面を露出させつつ、取付金物１１の基部１１ａ、垂下部１１ｂ及び折返し部１１ｃで囲まれる領域１６内に配置することができる。
【００２２】
本実施形態の内装下地固定桟１２は、取付金物１１の折返し部１１ｃに、その下面１２ｄを当接させて、ビス等の固着具１８によって固着される。これにより、内装下地固定桟１２には、その上面１２ｕと、取付金物１１の基部１１ａとの間に、空間が形成される。
【００２３】
内装下地固定桟１２には、建物Ｂの屋内側Ｓｉを向く面に、図１に示した壁下地５及び天井下地６を取り付けるための取付面１２ｓが設けられる。この取付面１２ｓは、垂直にのびている。
【００２４】
図１及び図３に示されるように、壁下地５は、枠組５ａと、枠組５ａの内部に配置される断熱材５ｂとを含んで構成されている。なお、断熱材５ｂとしては、例えば、ロックウールや、グラスウール等の繊維材や、ポリスチレンフォーム等の樹脂材を採用することができる。壁下地５の屋内側Ｓｉには、壁仕上げ材１７が固着される。
【００２５】
図５は、本実施形態の枠組５ａを示す斜視図である。枠組５ａは、上下に配される横材１９ａ、１９ｂと、横材１９ａ、１９ｂの水平方向の両端に配される左右の縦材２０ａ、２０ｂとを有し、正面視において、矩形状に形成されている。本実施形態の上下の横材１９ａ、１９ｂ及び左右の縦材２０ａ、２０ｂは、例えば、断面略矩形の角材である。
【００２６】
上下の横材１９ａ、１９ｂは、左右の縦材２０ａ、２０ｂ間を水平のびている。左右の縦材２０ａ、２０ｂは、上下の横材１９ａ、１９ｂ間を垂直にのびている。また、左右の縦材２０ａ、２０ｂは、上の横材１９ａから上方に突出する突出部２１を具えている。
【００２７】
突出部２１は、上の横材１９ａに沿って、屋外側Ｓｏから入隅状に切り欠いた切欠部２２が設けられている。これにより、突出部２１は、左右の縦材２０ａ、２０ｂにおいて、屋内側Ｓｉの控えた位置に配置されている。
【００２８】
枠組５ａには、屋外側Ｓｏにおいて、左右の縦材２０ａ、２０ｂ間を水平にのびる横桟２３が少なくとも一つ、本実施形態では、複数本配置されている。また、枠組５ａには、屋内側Ｓｉにおいて、上下の横材１９ａ、１９ｂと、左右の縦材２０ａ、２０ｂとで囲まれる開口を覆うシート材２４（図３に示す）が設けられている。
【００２９】
これらの横桟２３及びシート材２４は、枠組５ａの内部に配置される断熱材５ｂを安定して保持しうる。なお、シート材２４としては、例えば、防湿性を有するアルミシート等が望ましい。また、壁下地５は、例えば工場等において、枠組５ａの内部に断熱材５ｂが予め配置されるのが望ましい。
【００３０】
図１及び図４に示されるように、天井下地６は、野縁ランナー６ａと、該野縁ランナー６ａに支持される野縁６ｂとを含んで構成されている。野縁６ｂの下面には、天井仕上げ材２６（図１に示す）が固着される。
【００３１】
野縁ランナー６ａは、内装下地固定桟１２の取付面１２ｓに、梁７に沿って配されている。野縁ランナー６ａは、垂直方向にのびるウエブ２８ａ、ウエブ２８ａの上端で屋内側Ｓｉにのびる上フランジ２８ｂ、及び、ウエブ２８ａの下端で屋内側Ｓｉにのびる下フランジ２８ｃを含んで構成される。これにより、野縁ランナー６ａは、建物Ｂの屋内側Ｓｉに開口した断面略コ字状に形成される。また、上フランジ２８ｂは、屋内側Ｓｉの端部に、上方に傾斜してのびる傾斜部２８ｄが設けられている。このような傾斜部２８ｄは、ウエブ２８ａ、上フランジ２８ｂ及び下フランジ２８ｃで形成される開口部３３に、野縁６ｂの端部６ｂｔを円滑に挿入させるのに役立つ。
【００３２】
野縁６ｂは、野縁ランナー６ａと交わる向きにのび、かつ、断面略矩形の角パイプによって形成されている。この野縁６ｂは、野縁ランナー６ａに沿って隔設されている。各野縁６ｂは、屋外側Ｓｏを向く端部６ｂｔが、野縁ランナー６ａに挿入されて支持される。
【００３３】
次に、本実施形態の取付構造の施工方法について説明する。この施工方法では、先ず、図２に示されるように、建物Ｂの梁７に、内装下地固定桟１２が取り付けられる（工程Ｓ１）。この工程Ｓ１では、先ず、梁７の下フランジ７ｃに、取付金物１１の基部１１ａが、ボルト１５を介して固着されている。次に、工程Ｓ１では、取付金物１１の領域１６内に、内装下地固定桟１２が配置される。そして、工程Ｓ１では、取付金物１１の折返し部１１ｃから内装下地固定桟１２に向かって、釘等の固着具１８が打ち込まれる。これにより、内装下地固定桟１２は、取付金物１１を介して、建物Ｂの梁７に固着される。
【００３４】
次に、本実施形態の施工方法では、図３に示されるように、内装下地固定桟１２の下部側に、壁下地５の上端部５ｕが固定される（壁下地固定工程Ｓ２）。本実施形態の壁下地固定工程Ｓ２では、先ず、内装下地固定桟１２の取付面１２ｓの下部側に、壁下地５の突出部２１を当接させる。次に、壁下地固定工程Ｓ２では、壁下地５の突出部２１に、屋内側Ｓｉから屋外側Ｓｏに向かって、ビス等の固着具３２が挿通される。これにより、壁下地５の上端部５ｕ（突出部２１）は、内装下地固定桟１２の取付面１２ｓの下部側に固着される。また、壁下地５の下端部は、建物Ｂの床（図示省略）に固定される。
【００３５】
次に、本実施形態の施工方法では、図４に示されるように、内装下地固定桟１２の上部側に、天井下地６が固定される（天井下地固定工程Ｓ３）。本実施形態の天井下地固定工程Ｓ３では、先ず、内装下地固定桟１２の取付面１２ｓの上部側（即ち、壁下地５の突出部２１が固着される領域よりも上側の取付面１２ｓ）に、野縁ランナー６ａが固定される。野縁ランナー６ａの固定には、開口部３３から内装下地固定桟１２に向かって挿通されるビス等の固着具３８が用いられる。次に、天井下地固定工程Ｓ３では、野縁ランナー６ａの開口部３３に、各野縁６ｂの屋外側Ｓｏを向く端部６ｂｔが挿入される。これにより、天井下地６は、内装下地固定桟１２の取付面１２ｓの上部側に固着される。
【００３６】
このように、本実施形態の施工方法では、壁下地５と天井下地６とを含む内装下地３を、建物Ｂの屋内側Ｓｉに取り付けることができる。
【００３７】
なお、本実施形態の施工方法では、壁下地固定工程Ｓ２が実施された後に、天井下地固定工程Ｓ３が実施されるものが例示されたが、これに限定されるわけではない。本実施形態の取付構造では、内装下地固定桟１２の取付面１２ｓにおいて、壁下地５の内装下地固定桟１２への固定位置と、天井下地６の内装下地固定桟１２への固定位置とが独立して設けられている。従って、本実施形態の施工方法では、天井下地固定工程Ｓ３が実施された後に、壁下地固定工程Ｓ２が実施することができる。
【００３８】
このように、本発明の取付構造では、図６及び図７に示した従来の取付構造とは異なり、壁下地５及び天井下地６の施工順序の制約をなくすことができる。従って、本発明の建物の内装下地の取付構造は、壁下地５と天井下地６との施工業者等が異なる場合でも、各施工業者の手待ち時間等が発生することもないため、施工性に優れる。
【００３９】
図４に示されるように、壁下地５の上端部５ｕと、天井下地６との間には、隙間３５が設けられるのが望ましい。これにより、壁下地５と天井下地６とが互いに干渉し合うのを防ぐことができる。なお、隙間３５の厚さＷ５は、天井仕上げ材２６の厚さＷ６（図１に示す）よりも小に設定されるのが望ましい。これにより、天井下地６から隙間３５が露出するのを防ぐことができる。
【００４０】
図５に示されるように、突出部２１の垂直方向の長さＬ３は、取付面１２ｓの下部側の垂直方向の長さＬ４（図３に示す）よりも大に設定されるのが望ましい。これにより、突出部２１は、野縁ランナー６ａのウエブ２８ａの長さの垂直方向の長さＬ５（図４に示す）に応じて、取付面１２ｓの下部側の長さＬ４を柔軟に変更することができるため、施工性を向上しうる。
【００４１】
なお、本実施形態の壁下地５は、横材１９ａ、１９ｂと、左右の縦材２０ａ、２０ｂとによって構成されたパネル形状のものが例示されたが、これに限定されるわけではない。例えば、壁下地５は、上下の横材１９ａ、１９ｂを用いずに、左右の縦材（間柱）のみで構成されるものでもよいのは言うまでもない。
【００４２】
以上、本発明の特に好ましい実施形態について詳述したが、本発明は図示の実施形態に限定されることなく、種々の態様に変形して実施しうる。
【符号の説明】
【００４３】
３      内装下地
５      壁下地
６      天井下地
７      梁
１１      取付金物
１２      内装下地固定桟
【図１】
2015158065.tif 000003
【図２】
2015158065.tif 000004
【図３】
2015158065.tif 000005
【図４】
2015158065.tif 000006
【図５】
2015158065.tif 000007
【図６】
2015158065.tif 000008
【図７】
2015158065.tif 000009